(57)【要約】【課題】日常生活に不便なく、かつ低コストで地震災害時の救命の可能性を高める救命装置を提供する。【解決手段】救命装置１は、フレーム部１１と、フレーム部１１を部屋３０の上部に支持するためのフレーム支持部２１とを備え、フレーム部１１は、部屋３０の壁３１際に配置され、かつ部屋３０の高さ方向に延在するように構成された複数の支柱部材１２と、支柱部材１２間を部屋３０の壁３１際に沿って繋ぐように構成された枠部材１３とを含み、フレーム支持部２１は、支柱部材１２の底面１２ａをフレーム支持部２１の上面に当接して載置することによりフレーム部１１を支持するように構成されている。【選択図】図１
2011032713.tif 000002
【特許請求の範囲】
【請求項１】
フレーム部と、
前記フレーム部を部屋の上部に支持するためのフレーム支持部とを備え、
前記フレーム部は、前記部屋の壁際に配置され、かつ前記部屋の高さ方向に延在するように構成された複数の支柱部材と、
前記支柱部材間を前記部屋の前記壁際に沿って繋ぐように構成された枠部材とを含み、
前記フレーム支持部は、前記支柱部材の底面を前記フレーム支持部の上面に当接して載置することにより前記フレーム部を支持するように構成されている、救命装置。
【請求項２】
前記部屋が倒壊しないときは、前記フレーム支持部が前記フレーム部を支持する、請求項１に記載の救命装置。
【請求項３】
前記部屋が倒壊するときに、前記フレーム支持部が前記フレーム部を支持しない、請求項１または２に記載の救命装置。
【請求項４】
前記部屋の柱に沿って前記支柱部材の移動をガイドするためのガイド部材をさらに備え、
前記ガイド部材は、前記部屋の柱に沿って配置され、かつ前記支柱部材が前記ガイド部材に沿って移動可能となるように前記支柱部材と接続されている、請求項１〜３のいずれかに記載の救命装置。
【請求項５】
前記フレーム部が、分割可能に構成されている、請求項１〜４のいずれかに記載の救命装置。
【発明の詳細な説明】
【技術分野】
【０００１】
本発明は、救命装置に関し、特に部屋の上部に支持されたフレーム部を有する救命装置に関するものである。
【背景技術】
【０００２】
強い地震が発生した場合、建物が倒壊することにより、倒壊した建物や倒れた家具などの下敷きとなって、圧死または窒息死が発生し得る。特に、就寝中に建物が倒壊した場合に、被害が大きくなる。
【０００３】
従来、倒壊した建物や倒れた家具などから就寝者を保護するための装置が提案されている。たとえば、特開２００４−２０８９５５号公報（特許文献１）には、アーチ型の金属パイプ製の防護フレームを床に立て、かつベッド本体に固定し、一対の防護フレームを金属パイプ製の横桟で連結した防災ベッドが開示されている。
【０００４】
また、倒壊した建物から人を保護するために部屋自体を耐震構造にすることが提案されている。たとえば、特開平９−４２７５号公報（特許文献２）には、建屋の所望の室内に鉄骨組立構造からなる避難室が設置された耐震避難室付き家屋が開示されている。
【先行技術文献】
【特許文献】
【０００５】
【特許文献１】特開２００４−２０８９５５号公報
【特許文献２】特開平９−４２７５号公報
【発明の概要】
【発明が解決しようとする課題】
【０００６】
しかし、特開２００４−２０８９５５号公報の防災ベッドでは、日常生活において防護フレームが邪魔となるため、日常生活での利便性が悪いという問題がある。
【０００７】
また、特開平９−４２７５号公報の耐震避難室付き家屋では、鉄骨組立構造からなる避難室を設置するため、コストが高いという問題がある。
【０００８】
本発明は、上記課題を鑑みてなされたものであり、その目的は、日常生活に不便なく、かつ低コストで地震災害時の救命の可能性を高める救命装置を提供することである。
【課題を解決するための手段】
【０００９】
本発明の救命装置は、フレーム部と、フレーム部を部屋の上部に支持するためのフレーム支持部とを備え、フレーム部は、部屋の壁際に配置され、かつ部屋の高さ方向に延在するように構成された複数の支柱部材と、支柱部材間を部屋の壁際に沿って繋ぐように構成された枠部材とを含み、フレーム支持部は、支柱部材の底面をフレーム支持部の上面に当接して載置することによりフレーム部を支持するように構成されている。
【００１０】
本発明の救命装置によれば、フレーム部の支柱部材の底面がフレーム支持部の上面に当接して載置されることにより、フレーム部が部屋の上部に支持されている。そのため、部屋が倒壊しないときは部屋の上部にフレーム部が配置されているので、日常生活における不便をなくすことができる。部屋が倒壊するときはフレーム支持部によって部屋の上部に支持されていたフレーム部が落下することにより、フレーム部が空間を形成する。このフレーム部が形成した空間に人が入ることにより、倒壊した部屋や倒れた家具などから人を保護することができる。また、フレーム部をフレーム支持部によって部屋の上部に支持するだけで救命装置を構成することができるため、コストを低く抑えることができる。
【００１１】
上記の救命装置において好ましくは、部屋が倒壊しないときは、フレーム支持部がフレーム部を支持する。
【００１２】
上記の救命装置において好ましくは、部屋が倒壊するときに、フレーム支持部がフレーム部を支持しない。
【００１３】
上記の救命装置において好ましくは、部屋の柱に沿って支柱部材の移動をガイドするためのガイド部材をさらに備え、ガイド部材は、部屋の柱に沿って配置され、かつ支柱部材がガイド部材に沿って移動可能となるように支柱部材と接続されている。
【００１４】
これにより、ガイド部材によって部屋の柱に沿って支柱部材の移動がガイドされるため、フレーム部が部屋の上部に配置されたときの位置の真下に近い位置に落下する。よって、フレーム部が部屋の外に大きくはみ出すことが抑制されるため、部屋の中においてフレーム部が形成する空間をより大きくすることができる。
【００１５】
上記の救命装置において好ましくは、フレーム部が、分割可能に構成されている。
これにより、フレーム部を分割することによりフレーム部を容易に運搬することができる。また、分割されたフレーム部の各々がフレーム支持部に載置された後に、各々のフレーム部を組み立てることによりフレーム部を容易に設置することができる。
【発明の効果】
【００１６】
以上説明したように、本発明の救命装置によれば、日常生活に不便なく、かつ低コストで地震災害時の救命の可能性を高めることができる。
【図面の簡単な説明】
【００１７】
【図１】本発明の一実施の形態における救命装置が部屋の上部に配置された状態を概略的に示す斜視図である。
【図２】本発明の一実施の形態における救命装置のフレーム部を概略的に示す斜視図である。
【図３】本発明の一実施の形態における救命装置のフレーム部の接続部分を概略的に示す斜視図である。
【図４】図２におけるＩＶ−ＩＶ線に沿った断面図である。
【図５】本発明の一実施の形態における救命装置が部屋の上部に設置された状態を下方から概略的に示す斜視図である。
【図６】本発明の一実施の形態における救命装置の支柱部材がフレーム支持部に載置された状態を概略的に示す斜視図である。
【図７】図６におけるＶＩＩ−ＶＩＩ線に沿った断面図である。
【図８】本発明の一実施の形態における救命装置のフレーム支持部を概略的に示す平面図である。
【図９】本発明の一実施の形態における救命装置のガイド部材の取り付けの様子を概略的に示す斜視図である。
【図１０】本発明の一実施の形態における地震によって部屋が倒壊したときのフレーム部の動作を概略的に示す図である。
【図１１】本発明の一実施の形態における地震によって部屋が倒壊したときのフレーム部の動作を概略的に示す図であって、ガイド部材にガイドされたフレーム部の動作を概略的に示す図である。
【発明を実施するための形態】
【００１８】
以下、本発明の一実施の形態について図に基づいて説明する。
最初に、本発明の一実施の形態の救命装置の構成について説明する。
【００１９】
図１を参照して、本発明の一実施の形態の救命装置１は、フレーム部１１と、フレーム支持部２１とを主に有している。
【００２０】
救命装置１は、地震災害時の救命の可能性を高めるための装置である。
フレーム部１１は、地震災害時に人を保護するためのものである。フレーム部１１は、倒壊した部屋３０や倒れた家具などを支えることにより、フレーム部１１と床などとの間に空間を形成するように構成されている。
【００２１】
フレーム支持部２１は、フレーム部１１を部屋３０の上部に支持するためのものである。フレーム支持部２１は、部屋３０の柱３２に固定され得る。なお、フレーム支持部２１は、部屋３０の壁３１に固定されていてもよい。フレーム支持部２１は、部屋３０が倒壊しないときは、フレーム部１１を支持するように構成されている。フレーム支持部２１は、部屋３０が倒壊するときに、フレーム部１１を支持しないように構成されている。
【００２２】
フレーム部１１は、フレーム支持部２１によって部屋３０の上部に支持されている。フレーム部１１は、部屋３０の壁３１際に配置されている。フレーム部１１は、フレーム支持部２１の上面に当接して載置されている。
【００２３】
図２を参照して、フレーム部１１は、支柱部材１２と、枠部材１３と、補助部材１４と、接続部材１５と、補強部材１６とを主に有している。好ましくは、フレーム部は分割可能に構成されている。なお、図２では、ガイド部材４１（図１）と接続するための取付部材１７も図示されている。
【００２４】
支柱部材１２の高さは、就寝状態における寝具の厚さなどを加えた人の高さより高くなるように構成されている。複数の支柱部材１２の上部を繋ぐように枠部材１３が構成されている。これにより、倒壊した部屋３０や倒れた家具を支柱部材１２および枠部材１３が支えることにより、フレーム部１１が形成する空間内の就寝者が保護される。
【００２５】
図１および図２を参照して、支柱部材１２は、部屋３０の壁３１際に配置されている。支柱部材１２は、部屋３０の高さ方向に延在するように構成されている。枠部材１３は、支柱部材１２間を部屋３０の壁３１際に沿って繋ぐように構成されている。
【００２６】
また、支柱部材１２の底面１２ａは、凸形状を有していてもよい。凸形状は、半球形状を有していてもよい。
【００２７】
枠部材１３は、たとえば支柱部材１２間に２本並んで設けられている。なお、枠部材１３は、倒壊した部屋３０や倒れた家具を支えることができる構成であれば１本であってもよく、また３本以上の複数であってもよい。
【００２８】
また、たとえば支柱部材１２間には、支柱部材１２の軸方向に沿って補強部材１６が設けられている。なお、補強部材１６は、補強部材１６を設けなくても倒壊した部屋３０や倒れた家具を支えることができる場合には設けられていなくてもよい。
【００２９】
図２および図３を参照して、支柱部材１２には、枠部材１３の一方端が固定されている。枠部材１３の他方端には、接続部材１５が固定されている。２つの接続部材１５が互いに対向して接触するように構成されている。２つの接続部材１５は、たとえば、図示しないボルトおよびナットにより互いに固定されるように構成されている。なお、分割されたフレーム部１１の各々が接続部材１５によって接続されているが、接続部材１５が設けられずに支柱部材１２間に枠部材１３が直接設けられていてもよい。
【００３０】
図２および図４を参照して、枠部材１３の一部に補助部材１４が設けられている。補助部材１４は、対向する枠部材１３間に設けられて、たとえばワッシャ１９を挟んでボルト１８で固定されている。
【００３１】
図５および図６を参照して、フレーム支持部２１は、支柱部材１２の底面１２ａをフレーム支持部２１の上面に当接して載置することによりフレーム部１１を支持するように構成されている。
【００３２】
フレーム支持部２１は、受部材２２と、支承部材２３と、固定部材２４と、軸部材２５とを主に有している。
【００３３】
受部材２２は、部屋３０が倒壊しないときは、支柱部材１２の底面１２ａと当接してフレーム部１１を支持するように構成されている。受部材２２は、部屋３０が倒壊するときに、支柱部材１２の底面１２ａと当接せずにフレーム部１１を支持しないように構成されている。
【００３４】
図７および図８を参照して、より具体的には、たとえば、受部材２２は、壁３１または柱３２に対して角度が固定されている。受部材２２は、たとえば支柱部材１２と接する面が重力方向に対して垂直となるように構成されている。支柱部材１２が受部材２２から落下しないように、受部材２２が壁３１または柱３２に一定の角度で取り付けられているため、部屋３０が倒壊しないときは、一定の角度が維持されることにより、支柱部材１２が受部材２２から落下しないようにすることができる。
【００３５】
受部材２２の下面に設けられた凸部２２ｂが、支承部材２３に設けられた孔２３ａに上方から嵌り込むことにより、受部材２２が支承部材２３に取り付けられている。支承部材２３が固定部材２４に挟まれて、孔２４ａに軸部材２５が挿通することにより、支承部材２３が固定部材２４に取り付けられている。固定部材２４は、固定部材２４の凹形状の端部２４ｂが柱３２と嵌合した状態で、柱３２に固定され得るように構成されている。このようにフレーム支持部２１が構成されていることにより、フレーム部１１と壁３１との間に適度な隙間が形成されるため、フレーム部１１が壁３１にひっかからないので、フレーム部１１が確実に落下することができる。
【００３６】
また、受部材２２と、支柱部材１２の底面１２ａとは固着されていない。たとえば受部材２２に設けられた孔２２ａに支柱部材１２の底面１２ａの凸形状が嵌合するように構成されている。また、受部材２２には凹部が設けられていてもよい。
【００３７】
このように受部材２２に設けられた孔２２ａまたは凹部に支柱部材１２の底面１２ａの凸形状（曲面状部）が嵌合することにより、弱い地震では嵌合が維持されるため、支柱部材１２が受部材２２から落下しないようにすることができる。
【００３８】
好ましくは、受部材２２の下面に設けられた凸部２２ｂと孔２３ａとの間に隙間が設けられることにより、受部材２２が支承部材２３に対して移動可能に構成されている。また、支承部材２３が固定部材２４によって挟まれた状態で軸部材２５によって回動可能に取り付けられることにより、図８中矢印Ａ方向に支承部材２３および受部材２２が回動可能に構成されている。
【００３９】
これにより、弱い地震の際には、フレーム支持部２１が移動することによって、地震による振動が吸収されるため、フレーム部１１を落下させないようにすることができる。
【００４０】
図１を参照して、好ましくは、本発明の一実施の形態の救命装置１は、枠部材１３が天井桟３３から吊材３４で吊られるように構成されていてもよい。吊材３４で枠部材１３が吊られることにより、小さな地震でフレーム支持部２１からフレーム部１１が落下することを防止することができる。吊材３４をフレーム部１１の静止荷重が作用した場合には切断されず、衝撃荷重が作用した場合に切断されるように構成することにより、強い地震災害時にはフレーム部１１を落下させることができる。また、吊材３４を用いることによりフレーム部１１の取り付けを容易にすることができる。
【００４１】
図１および図５を参照して、好ましくは、本発明の一実施の形態の救命装置１は、ガイド部材４１をさらに有していてもよい。
【００４２】
ガイド部材４１は、部屋３０の柱３２に沿って支柱部材１２の移動をガイドするためのものである。ガイド部材４１は、部屋３０の柱３２に沿って配置され、かつ支柱部材１２がガイド部材４１に沿って移動可能となるように支柱部材１２と接続されている。
【００４３】
より具体的には、ガイド部材４１は部屋３０の上部で固定治具４２と固定され、部屋３０の下部で固定治具４３と固定されている。固定治具４２および固定治具４３は、それぞれ柱３２に接続されている。なお、固定治具４２および固定治具４３の各々は壁３１に接続されていてもよい。支柱部材１２に固定された取付部材１７にガイド部材４１が挿通されている。これにより、ガイド部材４１は、支柱部材１２がガイド部材４１に沿って移動可能となるように支柱部材１２と接続されている。
【００４４】
これにより、支柱部材１２に固定された取付部材１７がガイド部材４１に沿って移動することによって、部屋３０の柱３２に沿って支柱部材１２の移動がガイドされる。そのため、フレーム部１１が部屋３０の上部に配置されたときの位置の真下に近い位置に落下する。よって、フレーム部１１が部屋３０の外に大きくはみ出すことが抑制されるため、部屋３０の中においてフレーム部１１が形成する空間をより大きくすることができる。
【００４５】
好ましくは、ガイド部材４１は湾曲部４１ａを有していてもよい。湾曲部４１ａによって、柱３２とガイド部材４１との間に隙間が形成されるため、取付部材１７が柱３２と接触することが抑制される。このため、より確実にフレーム部１１を落下させることができる。
【００４６】
ガイド部材４１は、支柱部材１２の移動をガイドできる強度を有する材料で構成される。ガイド部材４１は、たとえば、金属や樹脂によって形成され得る。
【００４７】
なお、ガイド部材４１は、柱３２以外に配置されていてもよい。ガイド部材４１は、たとえば壁３１に配置されていてもよい。
【００４８】
図９を参照して、たとえば、ガイド部材４１は、次の手順で取り付けられ得る。まずガイド部材４１の上部分の上端が固定治具４２に固定される。ガイド部材４１の下部分の下端が固定治具４３に固定される。ガイド部材４１の下部分の上端に継手部材４４が挿入されて接着剤で固着される。ガイド部材４１の上部分が図示しない取付部材１７に挿通された後、固定治具４２が部屋３０の上部で柱３２に固定される。ガイド部材４１の下部分の上端に固着された継手部材４４がガイド部材４１の上部材の下端に図９中矢印Ｂ方向に挿入されて固着される。これにより、ガイド部材４１の上部分と下部分とが連結される。固定治具４３が部屋３０の下部で柱３２に固定される。
【００４９】
次に、本発明の一実施の形態の救命装置の動作について説明する。
図１０を参照して、図１０中破線で示すように、部屋３０が倒壊しないときは、フレーム部１１が部屋の上部に支持されている。図１０中実線で示すように、部屋３０が倒壊するときは、部屋３０の上部に支持されていたフレーム部１１が落下することにより、フレーム部１１が床５２などとの間に空間６１（図１０中斜線で示す空間）を形成する。部屋３０が倒壊するときは、天井５１が地面に対して平行移動するように壁３１が一方向に傾いて倒壊することが多い。そのため、壁３１および天井５１の移動にあわせてフレーム部１１の平面視における位置が大きく変動し得る。
【００５０】
図１１を参照して、ガイド部材４１を設けた場合には、図１１中実線で示すように部屋３０が倒壊するときは、ガイド部材４１によって、フレーム部１１の移動がガイドされるため、フレーム部１１が部屋３０の上部に配置されたときの位置の真下に近い位置に落下する。これにより、ガイド部材４１が設けられていない場合と比較して、フレーム部１１が部屋３０の外に大きくはみ出すことが抑制される。そのため、部屋３０の中においてフレーム部１１が形成する空間６１（図１１中斜線で示す空間）をより大きくすることができる。
【００５１】
次に、本発明の一実施の形態の救命装置の作用効果について説明する。
本発明の一実施の形態の救命装置１によれば、フレーム部１１の支柱部材１２の底面１２ａがフレーム支持部２１の上面に当接して載置されることにより、フレーム部１１が部屋３０の上部に支持されている。そのため、部屋３０が倒壊しないときは部屋３０の上部にフレーム部１１が配置されているので、日常生活における不便をなくすことができる。部屋３０が倒壊するときはフレーム支持部２１によって部屋３０の上部に支持されていたフレーム部１１が落下することにより、フレーム部１１が空間６１を形成する。このフレーム部１１が形成した空間６１に人が入ることにより、倒壊した部屋３０や倒れた家具などから人を保護することができる。また、フレーム部１１をフレーム支持部２１によって部屋３０の上部に支持するだけで救命装置１を構成することができるため、コストを低く抑えることができる。このように、本発明の一実施の形態の救命装置１によれば、日常生活に不便なく、かつ低コストで地震災害時の救命の可能性を高めることができる。
【００５２】
また、本発明の一実施の形態の救命装置１では、部屋３０の柱３２に沿って支柱部材１２の移動をガイドするためのガイド部材４１をさらに備えている。このガイド部材４１は、部屋３０の柱３２に沿って配置され、かつ支柱部材１２がガイド部材４１に沿って移動可能となるように支柱部材１２と接続されている。これにより、ガイド部材４１によって部屋３０の柱３２に沿って支柱部材１２の移動がガイドされるため、フレーム部１１が部屋３０の上部に配置されたときの位置の真下に近い位置に落下する。よって、フレーム部１１が部屋３０の外に大きくはみ出すことが抑制されるため、部屋３０の中においてフレーム部１１が形成する空間６１をより大きくすることができる。
【００５３】
また、本発明の一実施の形態の救命装置１では、フレーム部１１が、分割可能に構成されている。これにより、フレーム部１１を分割することによりフレーム部１１を容易に運搬することができる。また、分割されたフレーム部１１の各々がフレーム支持部２１に載置された後に各々のフレーム部１１を組み立てることによりフレーム部１１を容易に設置することができる。
【実施例】
【００５４】
以下、本発明の実施例について説明する。
天井から床までの距離が２４００ｍｍの部屋において、天井から５８０ｍｍの位置にフレーム支持部２１を配置した。フレーム支持部２１の上面上にフレーム部１１の支柱部材１２を載置した。
【００５５】
フレーム部１１の支柱部材１２間の枠部材１３の長さは、長辺側を３４００ｍｍで形成し、短辺側を２５００ｍｍで形成した。支柱部材１２の高さは、５６８ｍｍで形成した。支柱部材１２および枠部材１３の直径は６０．５ｍｍで形成した。支柱部材１２および枠部材１３の厚みは３．５ｍｍで形成した。支柱部材１２および枠部材１３は、高張力鋼で形成した。補助部材１４は、直径２７．２ｍｍで形成した。補助部材１４の厚みは、２．３ｍｍで形成した。補助部材１４は、炭素鋼管で形成した。
【００５６】
フレーム支持部２１の受部材２２は直径８０ｍｍ、厚さ３．２ｍｍで形成した。受部材２２の孔２２ａは直径２０ｍｍの円形孔で、受部材２２は下部裏面に長さ５ｍｍ、幅１９ｍｍ、高さ３．２ｍｍの凸部２２ｂを間隔２０ｍｍで設けた鉄板で形成した。支承部材２３は、長辺側の長さ１２０ｍｍ、短辺側の長さ５０ｍｍ、厚さ３．２ｍｍで形成した。支承部材の孔２３ａは、長辺側の長さ４０ｍｍ、短辺側の長さ２０ｍｍで形成した。支承部材２３は、鉄板で形成した。固定部材２４は、鋼板で形成した。
【００５７】
ガイド部材４１は、直径２１．７ｍｍ、厚さ１．９ｍｍで形成した。ガイド部材４１は、炭素鋼管で形成した。
【００５８】
なお、本発明の一実施の形態の救命装置は、組立て家具のようにスーパーマーケット、ホームセンターおよび雑貨店などで販売され得る。
【００５９】
なお、本発明の一実施の形態の救命装置は、軽量で低価格の素材（たとえばカーボンなど）によって形成され得る。
【００６０】
なお、本発明の一実施の形態の救命装置は、救出隊に生存者の存在を知らせるために、体温を感知できるセンサーおよび発信装置を組み込んで形成されてもよい。
【００６１】
なお、本発明の一実施の形態の救命装置は、倒壊後の暗闇による生存者の不安感を緩和させるために、フレーム部が蛍光塗料で塗布されていてもよい。
【００６２】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００６３】
本発明は、部屋の上部に支持されたフレーム部を有する救命装置に特に有利に適用され得る。
【符号の説明】
【００６４】
１  救命装置、１１  フレーム部、１２  支柱部材、１３  枠部材、１４  補助部材、１５  接続部材、１６  補強部材、１７  取付部材、２１  フレーム支持部、２２  受部材、２３  支承部材、２４  固定部材、２５  軸部材、３０  部屋、３１  壁、３２  柱、３３  天井桟、３４  吊材、４１  ガイド部材、６１  空間。
【図１】
2011032713.tif 000003
【図２】
2011032713.tif 000004
【図３】
2011032713.tif 000005
【図４】
2011032713.tif 000006
【図５】
2011032713.tif 000007
【図６】
2011032713.tif 000008
【図７】
2011032713.tif 000009
【図８】
2011032713.tif 000010
【図９】
2011032713.tif 000011
【図１０】
2011032713.tif 000012
【図１１】
2011032713.tif 000013